【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
蒸気圧縮サイクルから第１の熱を除去するステップと、
前記蒸気圧縮サイクルからの前記第１の除去された熱を利用して、熱駆動ヒートポンプを駆動するステップと、
前記熱駆動ヒートポンプを利用して、前記蒸気圧縮サイクルから第２の熱を除去して、前記蒸気圧縮サイクルの冷媒の温度を下げて周囲温度より低くするステップと、
を含む方法。
【請求項２】
前記蒸気圧縮サイクルからの前記第１の除去された熱を利用して前記熱駆動ヒートポンプを駆動する前記ステップは、前記熱駆動ヒートポンプの冷媒から凝固点抑制剤を分離して、濃縮された凝固点抑制剤を形成するステップを含む、請求項１に記載の方法。
【請求項３】
前記熱駆動ヒートポンプを利用して前記蒸気圧縮サイクルから前記第２の熱を除去して、前記蒸気圧縮サイクルの前記冷媒の温度を下げて前記周囲温度より低くする前記ステップは、
前記濃縮された凝固点抑制剤に固体物質を組み合わせて、前記熱駆動ヒートポンプの前記冷媒の少なくとも一部を形成するステップと、
前記熱駆動ヒートポンプの前記冷媒の前記一部を利用して、前記蒸気圧縮サイクルの前記冷媒の温度を下げて前記周囲温度より低くするステップと、
を含む、
請求項２に記載の方法。
【請求項４】
前記蒸気圧縮サイクルから前記第１の熱を除去する前記ステップは、前記蒸気圧縮サイクルの前記冷媒を、前記熱駆動ヒートポンプに熱的に結合された第１の熱交換器に通すステップを含む、請求項１に記載の方法。
【請求項５】
前記第１の熱交換器は、前記蒸気圧縮サイクルの圧縮器と、前記蒸気圧縮サイクルの凝縮器との間に配置されている、請求項４に記載の方法。
【請求項６】
前記熱駆動ヒートポンプを利用して前記蒸気圧縮サイクルから前記第２の熱を除去して、前記蒸気圧縮サイクルの冷媒の温度を下げて前記周囲温度より低くする前記ステップは、前記蒸気圧縮サイクルの前記冷媒を、前記蒸気圧縮サイクルの凝縮器と、前記蒸気圧縮サイクルの膨張弁との間に配置された第２の熱交換器に通すステップを含む、請求項１に記載の方法。
【請求項７】
前記熱駆動ヒートポンプを利用して前記蒸気圧縮サイクルから前記第２の熱を除去して、前記蒸気圧縮サイクルの冷媒の温度を下げて前記周囲温度より低くするステップは、前記熱駆動ヒートポンプの冷媒を前記第２の熱交換器に通すステップを含む、請求項６に記載の方法。
【請求項８】
前記蒸気圧縮サイクルの前記冷媒が前記蒸気圧縮サイクルの前記膨張弁を通り抜けた後に、受容容器を利用して、少なくとも、液体形態の、前記蒸気圧縮サイクルの前記冷媒、又は蒸気形態の、前記蒸気圧縮サイクルの前記冷媒を受け取るステップを更に含む、請求項６に記載の方法。
【請求項９】
前記蒸気形態の前記冷媒を前記蒸気圧縮サイクルの前記圧縮器に誘導するステップと、
前記液体形態の、前記蒸気圧縮サイクルの前記冷媒の少なくとも第１の部分を第３の熱交換器に誘導するステップであって、前記第３の熱交換器は、前記熱駆動ヒートポンプの冷媒に熱的に結合されていて、前記蒸気圧縮サイクルから第３の熱を除去することにより、前記液体形態の、前記蒸気圧縮サイクルの前記冷媒の前記第１の部分を更に冷却して、その温度を前記周囲温度より低くする、前記ステップと、
を更に含む、請求項８に記載の方法。
【請求項１０】
前記第２の熱交換器及び前記第３の熱交換器を直列で利用することを更に含む、請求項９に記載の方法。
【請求項１１】
前記第２の熱交換器及び前記第３の熱交換器を並列で利用することを更に含む、請求項９に記載の方法。
【請求項１２】
前記液体形態の、前記蒸気圧縮サイクルの前記冷媒の少なくとも第２の部分を固体製造機に誘導することによって固体物質を形成するステップを更に含む、請求項８に記載の方法。
【請求項１３】
凝固点抑制剤に前記固体物質を組み合わせて、前記熱駆動ヒートポンプの冷媒の少なくとも一部を形成するステップと、
前記熱駆動ヒートポンプの前記冷媒の前記一部を前記第２の熱交換器に通して、前記蒸気圧縮サイクルの前記冷媒の温度を下げて前記周囲温度より低くするステップと、
を更に含む、請求項１２に記載の方法。
【請求項１４】
前記液体形態の、前記蒸気圧縮サイクルの前記冷媒を、第２の膨張弁に誘導するステップと、
前記第２の膨張弁を通り抜けた、前記蒸気圧縮サイクルの前記冷媒を第４の熱交換器に渡して、前記蒸気圧縮サイクルから第４の熱を除去するステップと、
を更に含む、請求項９に記載の方法。
【請求項１５】
前記蒸気圧縮サイクルからの前記第４の除去された熱を利用して、前記熱駆動ヒートポンプを駆動するステップを更に含む、請求項１４に記載の方法。
【請求項１６】
前記蒸気圧縮サイクルからの前記第４の除去された熱を利用して前記熱駆動ヒートポンプを駆動する前記ステップは、前記熱駆動ヒートポンプの冷媒から凝固点抑制剤を分離して、濃縮された凝固点抑制剤を形成するステップを含む、請求項１５に記載の方法。
【請求項１７】
前記蒸気圧縮サイクルの前記冷媒を前記第４の熱交換器から前記受容容器まで誘導するステップを更に含む、請求項１４に記載の方法。
【請求項１８】
前記液体形態の、前記蒸気圧縮サイクルの前記冷媒の少なくとも第３の部分を第５の熱交換器に誘導するステップであって、前記第５の熱交換器は、前記熱駆動ヒートポンプの前記冷媒に熱的に結合されていて、前記蒸気圧縮サイクルから第５の熱を除去することにより、前記液体形態の、前記蒸気圧縮サイクルの前記冷媒の前記第３の部分を更に冷却して、その温度を前記周囲温度より低くする、前記ステップを更に含む、請求項１７に記載の方法。
【請求項１９】
前記蒸気圧縮サイクルの前記冷媒を前記第４の熱交換器から前記圧縮器まで誘導するステップと、
前記蒸気圧縮サイクルの前記冷媒を前記第５の熱交換器から前記圧縮器まで誘導するステップと、
を更に含む、請求項１８に記載の方法。
【請求項２０】
蒸気圧縮サイクルに結合されて、前記蒸気圧縮サイクルから第１の熱を除去し、熱駆動ヒートポンプに結合されて、前記蒸気圧縮サイクルからの前記第１の除去された熱を利用して前記熱駆動ヒートポンプを駆動する第１の熱交換器を含み、
前記蒸気圧縮サイクルに結合されて、前記蒸気圧縮サイクルから第２の熱を除去し、前記熱駆動ヒートポンプに結合されている第２の熱交換器であって、前記蒸気圧縮サイクルから前記第２の熱を除去する前記ステップは、前記蒸気圧縮サイクルの冷媒の温度を下げて周囲温度より低くする、前記第２の熱交換器
を更に含む、システム。
【請求項２１】
前記第１の熱交換器は、前記蒸気圧縮サイクルの圧縮器と、前記蒸気圧縮サイクルの凝縮器との間に配置されている、請求項２０に記載のシステム。
【請求項２２】
前記第２の熱交換器は、前記蒸気圧縮サイクルの前記凝縮器と、前記蒸気圧縮サイクルの膨張弁との間に配置されている、請求項２１に記載のシステム。
【請求項２３】
前記熱駆動ヒートポンプは凝固点抑制サイクルを含む、請求項２０に記載のシステム。
【請求項２４】
前記蒸気圧縮サイクルからの前記第１の除去された熱は、前記熱駆動ヒートポンプの冷媒から凝固点抑制剤を分離して、濃縮された凝固点抑制剤を形成することにより、前記熱駆動ヒートポンプを駆動する、請求項２３に記載のシステム。
【請求項２５】
前記熱駆動ヒートポンプは固体製造機を含む、請求項２４に記載のシステム。
【請求項２６】
前記熱駆動ヒートポンプは、前記固体製造機からの固体に前記濃縮された凝固点抑制剤を組み合わせて、前記熱駆動ヒートポンプの前記冷媒の少なくとも一部を形成するように構成されており、
前記第２の熱交換器は、前記熱駆動ヒートポンプの前記冷媒の前記一部を受け取って、前記蒸気圧縮サイクルの前記冷媒の温度を下げて前記周囲温度より低くするように構成されている、
請求項２５に記載のシステム。
【請求項２７】
前記蒸気圧縮サイクルの前記冷媒が前記蒸気圧縮サイクルの前記膨張弁を通り抜けた後に、少なくとも、液体形態の、前記蒸気圧縮サイクルの前記冷媒、又は蒸気形態の、前記蒸気圧縮サイクルの前記冷媒を受け取るように配置された受容容器を更に含む、請求項２２に記載のシステム。
【請求項２８】
前記液体形態の、前記蒸気圧縮サイクルの前記冷媒の少なくとも第１の部分を受け取るように構成された第３の熱交換器を更に含み、前記第３の熱交換器は、前記熱駆動ヒートポンプの前記冷媒に熱的に結合されていて、前記蒸気圧縮サイクルから第３の熱を除去することにより、前記液体形態の、前記蒸気圧縮サイクルの前記冷媒の前記第１の部分を更に冷却して、その温度を前記周囲温度より低くする、請求項２７に記載のシステム。
【請求項２９】
前記第２の熱交換器及び前記第３の熱交換器は直列で利用される、請求項２８に記載のシステム。
【請求項３０】
前記第２の熱交換器及び前記第３の熱交換器は並列で利用される、請求項２８に記載のシステム。
【請求項３１】
前記液体形態の、前記蒸気圧縮サイクルの前記冷媒の少なくとも第２の部分が前記熱駆動ヒートポンプの固体製造機に誘導されるように、前記受容容器は前記熱駆動ヒートポンプに結合されている、請求項２７に記載のシステム。
【請求項３２】
前記第３の熱交換器を通り抜けた、前記蒸気圧縮サイクルの前記冷媒の一部を受け取って、前記蒸気圧縮サイクルから第４の熱を除去するように配置された第４の熱交換器を更に含む、請求項２８に記載のシステム。
【請求項３３】
前記第４の熱交換器と前記熱駆動ヒートポンプは、前記蒸気圧縮サイクルからの前記第４の除去された熱が前記熱駆動ヒートポンプを駆動するように、互いに結合されている、請求項３２に記載のシステム。
【請求項３４】
前記熱駆動ヒートポンプは、前記蒸気圧縮サイクルから前記第４の除去された熱を受け取って、前記熱駆動ヒートポンプの前記冷媒から凝固点抑制剤を分離して、濃縮された凝固点抑制剤を形成するように構成された分離器を含む、請求項３３に記載のシステム。
【請求項３５】
前記熱駆動ヒートポンプは、前記固体製造機からの固体に前記濃縮された凝固点抑制剤を組み合わせて、前記熱駆動ヒートポンプの冷媒の少なくとも一部を形成するように構成されており、
前記第２の熱交換器は、前記熱駆動ヒートポンプの前記冷媒の前記一部を受け取って、前記蒸気圧縮サイクルの前記冷媒の温度を下げて前記周囲温度より低くするように構成されている、
請求項３４に記載のシステム。
【請求項３６】
前記第４の熱交換器は、前記第４の熱交換器を通り抜けた、前記蒸気圧縮サイクルの前記冷媒の前記一部を受容容器が受け取るように、前記受容容器と結合されている、請求項３２に記載のシステム。
【請求項３７】
第５の熱交換器を更に含み、前記第５の熱交換器は、前記蒸気圧縮サイクルから第５の熱を除去する為に、前記熱駆動ヒートポンプの前記冷媒に熱的に結合されていて、前記液体形態の、前記蒸気圧縮サイクルの前記冷媒の少なくとも第３の部分を受け取る為に、前記受容容器と結合されていて、前記第３の部分は、前記蒸気圧縮サイクルから前記第５の熱を除去することによって更に冷却されて、その温度が前記周囲温度より低くされる、請求項３６に記載のシステム。
【請求項３８】
前記第４の熱交換器は、前記蒸気圧縮サイクルの前記冷媒を前記第４の熱交換器から前記圧縮器まで誘導するように前記圧縮器に結合されており、
前記第５の熱交換器は、前記蒸気圧縮サイクルの前記冷媒を前記第５の熱交換器から前記圧縮器まで誘導するように前記圧縮器に結合されている、
請求項３７に記載のシステム。